(57)【要約】      （修正有）【課題】強固な融着力が期待できる回転融着構造及びこの回転融着構造を備えた視線誘導標を提供する。【解決手段】支柱１の上部内壁に回転接触させる枠体３の円形下部の外周壁には、三角状の突起３３と台形状の突起３４とを混在させているので、台形状の突起３４部分は融着しにくいものの、この突起部分によって三角状の突起３３の削られるのが防止され、また三角状の突起３３は僅かな熱で融着し、この三角状の突起３３の融着によって強固な融着力が期待できる。【選択図】図２
2006348646.tif 000002
【特許請求の範囲】
【請求項１】
内形が円形の筒状体に外形が円形の被着物を挿入し、前記筒状体の内壁と被着物の外壁とを回転融着により融着してなる回転融着構造であって、被着物の外周壁にその長手方向に延びる三角状の突起と台形状の突起とを混在させ、三角状の突起の頂部と台形状の突起の上面とを前記筒状体の内壁に接触させつついずれか一方を回転させて、三角状の突起の頂部を筒状体の内壁に融着させたことを特徴とする回転融着構造。
【請求項２】
前記被着物は下部外形が円形の枠体の上部に再帰性反射体が取付けられた視線誘導標本体であって、枠体の円形下部の外周壁にはその長手方向に延びる三角状の突起と台形状の突起とが混在され、筒状体内に前記枠体の下部が挿入されると共に、前記枠体の三角状の突起の頂部が前記筒状体の内壁に融着されて、視線誘導標本体が筒状体に支持されたことを特徴とする請求項１記載の回転融着構造を備えた視線誘導標。
【発明の詳細な説明】
【技術分野】
【０００１】
本発明は、内形が円形の筒状体に外形が円形の被着物を挿入し、前記筒状体の内壁と被着物の外壁とを回転融着により融着してなる回転融着構造に関するものであって、特に道路の端縁等に設置される視線誘導標に好適に用いられるものである。
【背景技術】
【０００２】
従来の視線誘導標においては、枠体とその枠体に取付けられた再帰性反射体とからなる視線誘導標本体と、それを支持する支柱とが、いずれも合成樹脂からなる場合は、回転融着により融着一体化されていた。例えば特許文献１には、以下のような回転融着構造が開示されている。
すなわち、この回転融着構造はその段落番号００２３に記載されるように、いずれもポリエチレンからなる誘導標本体を支柱に取付ける場合に、誘導標本体の下部に多数の縦リブを外面に設けた脚部を形成し、その脚部を支柱内に挿入すると共に、誘導体本体を回転させ、縦リブと支柱の内壁との摩擦によって生じる摩擦熱により縦リブを溶融させ、もって支柱の内壁に融着することができる、とされている。
【０００３】
【特許文献１】特開２００１−２６９１２号公報（段落番号００２３、図面の図４〜７）
【発明の開示】
【発明が解決しようとする課題】
【０００４】
しかしながら、上述の如き回転融着構造においては、上記縦リブは幅の狭い四角状の突起のみで形成されていることから、回転により縦リブを支柱の内壁に摩擦させた際に、幅の狭い縦リブの接触面、すなわち縦リブの一部はその上面が摩擦により融着されるまでに削り取られて、均一且つ強固な融着力が期待できない場合がある。しかしながら、これを防止するために、縦リブの幅を広げると、縦リブの上面を融着させるに必要な摩擦時の熱が得られにくくなり、場合によっては、幅の狭い縦リブよりも融着力が低下する危険もある。
【０００５】
そこで本発明は上記の如き問題点を解消し、強固な融着力が期待できる回転融着構造及びこの回転融着構造を備えた視線誘導標を提供せんとするものである。
【課題を解決するための手段】
【０００６】
上記目的を達成するために、本発明は次のような構成としている。
すなわち、本発明に係る回転融着構造は、内形が円形の筒状体に外形が円形の被着物を挿入し、前記筒状体の内壁と被着物の外壁とを回転融着により融着してなる回転融着構造であって、被着物の外周壁にその長手方向に延びる三角状の突起と台形状の突起とを混在させ、三角状の突起の頂部と台形状の突起の上面とを前記筒状体の内壁に接触させつついずれか一方を回転させて、三角状の突起の頂部を筒状体の内壁に融着させたことを特徴とするものである。
【０００７】
また本発明に係る視線誘導標は、上記回転融着構造を視線誘導標に適用したものであって、前記被着物は下部外形が円形の枠体の上部に再帰性反射体が取付けられた視線誘導標本体であって、枠体の円形下部の外周壁にはその長手方向に延びる三角状の突起と台形状の突起とが混在され、筒状体内に前記枠体の下部が挿入されると共に、前記枠体の三角状の突起の頂部が前記筒状体の内壁に融着されて、視線誘導標本体が筒状体に支持されたことを特徴とする上記回転融着構造を備えたものである。
【発明の効果】
【０００８】
本発明による回転融着構造及び視線誘導標は、回転接触させる部分は三角状の突起と台形状の突起とを混在させているので、台形状の突起部分は融着しにくいものの、この突起部分によって三角状の突起の削られるのが防止され、また三角状の突起は僅かな熱で融着し、この三角状の突起の融着によって強固な融着力が期待できる。
【発明を実施するための最良の形態】
【０００９】
本発明に係わる実施の形態について、図面に基づき以下に具体的に説明する。
すなわち、図１は本発明に係る回転融着構造を備えた視線誘導標の実施の一形態を示す正面図であり、図２は図１の視線誘導標を構成する視線誘導標本体の部分を示し、（イ）は上面図、（ロ）は正面図、図３は図２（ロ）の下部断面図、図４は図１の主要部の縦断面図である。
る。
【００１０】
１は内形が円形の筒状体である支柱であり、２は支柱１の上部に挿入され回転融着により融着された被着物である視線誘導標本体であり、視線誘導標Ｄは支柱１と視線誘導標本体２とから構成されている。
【００１１】
３は下部外形が円形の枠体であり、４は枠体３に取付けられた再帰性反射体であり、前記視線誘導標本体２はこの枠体３と再帰性反射体４とから構成されている。
【００１２】
枠体３は、合成樹脂を射出成型する等して形成され、使用される合成樹脂材料の種類は特に限定されず、ポリエチレンやＡＢＳ樹脂、ポリスチレン、ＡＡＳ樹脂、ポリプロピレン、ポリウレタン等の熱可塑性合成樹脂やそれらに補強材を混入したもの等が適宜用いられるが、衝撃に対して強く、コスト安であり、耐候性が良好なポリエチレンを使用するのが好ましい。
【００１３】
また、再帰性反射体４としては、入射された光を再帰反射するものであって、レンズ反射体が好適に用いられるが、特に限定されたものではなく、多数の反射素子群を形成し、その反射素子群の裏面にアルミニウムのような金属の薄膜を金属蒸着法等により積層して反射性能を高めたプリズム状のものや、ガラスビーズやプリズム反射体を表面に配置した反射シート、合成樹脂製のシートにガラスビーズを埋設したもの等を適宜用いることができる。
【００１４】
尚、枠体３への再帰性反射体４の取付けは、再帰性反射体４を収容するための凹部３１を形成した枠体３を、合成樹脂を用いて射出成型等により成型するに際し、凹部３１の内縁寸法を再帰性反射体４の外縁寸法より僅かに大きく成型し、次いでその成型直後の枠体３の凹部３１に再帰性反射体４を挿入し、その後の冷却による合成樹脂の熱収縮によって凹部３１の内縁寸法を縮めることにより、凹部３１の内周面を再帰性反射体４の外周面に圧接させ、もって凹部３１の内周面に再帰性反射体４の外周面を挟持させてもよいし、枠体３の凹部３１の底に係止孔３２を設け、再帰性反射体４を凹部３１に収容すると共に再帰性反射体４の裏面に突出した係止片４１を前記係止孔３２に挿入係止してもよいし、接着剤等を用いて再帰性反射体４を枠体３に接着して取付けてもよい。
【００１５】
本形態においては、再帰性反射体４は枠体３の表裏両面にそれぞれ所定の角度を付けて取付けられ、走行車線と対向車線とからのヘッドライトを受けてそれぞれの方向に再帰反射させるようになされているが、一方向のみの視線誘導で充分な場合には、他方の面に再帰性反射体４と同じ大きさの板状体を取付け、前記凹部３１を塞ぐようにすれば、外観を良好にすることができ、又枠体３が再帰性反射体４を取付けない方向に収縮変形するのを防止することができる。
【００１６】
上記枠体３の円形下部が、内形が円形の筒状体である支柱１の上部内に挿入され、前記支柱１の上部内壁と枠体３の円形下部の外壁とが回転融着により融着され、視線誘導標本体２と支柱１とが一体化されている。
【００１７】
すなわち、本形態においては、枠体３の円形下部の外周壁にはその長手方向に延びる三角状の突起３３と台形状の突起３４とが混在されて形成されている。具体的には、図３に示されるように、台形状の突起３４が間隔を開けて１１個形成され、そしてこの各台形状の突起３４の間に三角状の突起３３が２個づつ形成されている。前記台形状の突起３４の上面は平らな面となされ、三角状の突起３３の頂部と台形状の突起３４の左右の角部とは円形下部の中心より同径となされ、これらより台形状の突起３４の平らな上面は僅か短径となされている。
【００１８】
そして、支柱１の上部内に枠体３の円形下部が挿入され、枠体３の円形下部の外周壁に形成された三角状の突起３３と台形状の突起３４とを支柱１の上部内壁に接触させた状態で視線誘導標本体２を回転させると、回転接触させる部分は三角状の突起３３と台形状の突起３４とを混在させているので、台形状の突起部分３４は融着しにくいものの、この突起部分によって三角状の突起３３の削られるのが防止され、また三角状の突起３３は僅かな熱で融着し、この三角状の突起３３の融着によって支柱１の上部内壁と枠体３の円形下部の外壁とが融着される。
【００１９】
この場合、台形状の突起３４の平らな上面は僅か短径となされているので、回転接触される部分は、三角状の突起３３の頂部と台形状の突起３４の左右の角部となり、これらの部分において効果的に融着される。又三角状の突起３３は、各台形状の突起３４間に２個づつ形成され、融着する箇所の数を多くしているが、要望する融着強度に応じて、各台形状の突起３４間に形成される三角状の突起３３の数は１個でもよいし、３個以上であってもよく、要は三角状の突起３３と台形状の突起３４とが混在されていればよい。
【００２０】
また、前記枠体３の円形下部に形成された三角状の突起３３及び台形状の突起３４の上部には、前記三角状の突起３３及び台形状の突起３４の上部を覆うリング部３５が周設され、このリング部３５内壁と円形下部の外周壁とにより、下方に開口する溝部３６が形成されている。そして、三角状の突起３３の頂部等が融着される際に、余分な融着樹脂が各三角状の突起３３及び台形状の突起３４の間にはみ出すと共に、前記溝部３６にもはみ出すようになされ、枠体３と支柱１の接合部分から外部にはみ出すのを防止し、又それらにより融着強度を高めている。
【００２１】
尚、摩擦熱により枠体３の下部を溶融させ支柱１の内壁に融着させることから、支柱１の形成に使用される材料は枠体３の形成に使用される材料と同一であるのが好ましく、又衝撃に対して強く、コスト安であり、耐候性が良好なポリエチレンが好適に用いられる。
【産業上の利用可能性】
【００２２】
本発明に係る回転融着構造及び視線誘導標は、摩擦により回転融着させる部分は三角状の突起と台形状の突起とを混在させているので、視線誘導標本体と支柱とが強固に融着され、道路端縁等に設置して視線誘導を行う視線誘導標やスノーポールとして好適に利用することができる。
【図面の簡単な説明】
【００２３】
【図１】本発明に係る回転融着構造を備えた視線誘導標の実施の一形態を示す正面図である。
【図２】図１の視線誘導標を構成する視線誘導標本体の実施の一形態を示し、（イ）は上面図、（ロ）は正面図である。
【図３】図２（ロ）の下部断面図である。
【図４】図１の主要部の縦断面図である。
【符号の説明】
【００２４】
Ｄ      視線誘導標
１      支柱
２      視線誘導標本体
３      枠体
３１    凹部
３２    係止孔
３３    三角状の突起
３４    台形状の突起
３５    リング部
３６    溝部
４      再帰性反射体
４１    係止片
【図１】
2006348646.tif 000003
【図２】
2006348646.tif 000004
【図３】
2006348646.tif 000005
【図４】
2006348646.tif 000006